(57)【特許請求の範囲】
【請求項１】
斜め上方に向けて延び、かつ互いに平行に配置される両側板に段板が支持されるようにした階段が、その側板の前端部下縁を床下地に対向させた状態に組み付けられる階段の組付構造であって、
前記側板の前端部下縁における前部に、上方に凹むように凹段部が形成されるとともに、その凹段部の後側に下方に突出し、かつ前記床下地に接触する嵩上げ部が形成され、前記凹段部の内周面と前記床下地との間に、前方に開放する床材差込隙間が形成され、
前記床下地上に施工される床材が前記床材差込隙間に挿入配置され、
最下段のけこみ板の裏面両側縁部が、前記両側板の前端部前縁に沿うように配置される一方、
前記けこみ板の裏面下端縁にけこみ板下部固定桟が固定され、
前記両側板の前端部前縁の下部に、前記けこみ板下部固定桟の両端部を収容するための切欠部が形成されていることを特徴とする階段の組付構造。
【請求項２】
前記側板は上側縁部が階段状に形成されて、水平な段板取付部と垂直なけこみ板取付部とが交互に配置されたひな壇階段用の側板によって構成されている請求項１に記載の階段の組付構造。
【請求項３】
前記けこみ板下部固定桟における後面と下面とのコーナー部が面取り加工されて下側テーパー面が形成されている請求項１または２に記載の階段の組付構造。
【請求項４】
前記けこみ板下部固定桟における後面と上面とのコーナー部が面取り加工されて上側テーパー面が形成されている請求項１〜３のいずれか１項に記載の階段の組付構造。
【請求項５】
斜め上方に向けて延び、かつ互いに平行に配置される両側板に段板が支持されるようにした階段であって、
前記側板の前端部下縁における前部に、上方に凹むように凹段部が形成されるとともに、その凹段部の後側に下方に突出し、かつ床下地に接触可能な嵩上げ部が形成され、
前記嵩上げ部が床下地に接地された状態では、前記凹段部の内周面と床下地との間に、前方に開放し、かつ床下地上に施工される床材が差し込み可能な床材差込隙間が形成されるように構成され、
最下段のけこみ板の裏面両側縁部が、前記両側板の前端部前縁に沿うように配置される一方、
前記けこみ板の裏面下端縁にけこみ板下部固定桟が固定され、
前記両側板の前端部前縁の下部に、前記けこみ板下部固定桟の両端部を収容するための切欠部が形成されていることを特徴とする階段。
【発明の詳細な説明】
【技術分野】
【０００１】
この発明は、例えば一般住宅等における木質製屋内階段等に好適に採用される階段およびその組付構造に関する。
【背景技術】
【０００２】
戸建て住宅等の一般住宅等に施工される木質製の屋内階段は近年、組付現場に搬入する前に、予め工場等でほとんどの部品を組み立てておき、その組み立てられた階段を、現場に搬入して施工するのが主流となってきている。
【０００３】
このような木質製屋内階段としては、ひな壇階段、化粧階段等が周知であるが、例えば特許文献１に示すように従来のひな壇階段は、斜め上方に延び、かつ互いに平行に配置される一対の側板（両側板）を備え、両側板の上側縁部が階段状に形成されて、水平面と垂直面とが交互に配置されるように形成されている。そして水平面に段板が固定されるとともに、垂直面にけこみ板がそれぞれ固定されて、ひな壇階段が構成されている。
【０００４】
ひな壇階段を建築現場で組み付ける場合通常、ひな壇階段を家屋構造体に固定した後、階下の床下地に床材を施工してフロア（化粧床）を形成するようにしている。このため、木質製屋内階段の両側板下端と化粧床との間の収まり具合を良くするために、階段を家屋構造体に固定する際には、階段の両側板下端と床下地との間に、床材の厚み寸法に相当する分だけ隙間が形成されるように、階段を床下地から浮かせた状態に固定しておき、階段施工後に、床材を上記の隙間に差し込みつつ床下地に敷設することによって、階段下端部において床材を見栄え良く収めて、良好な美観を確保するようにしている。
【先行技術文献】
【特許文献】
【０００５】
【特許文献１】特開２０００−１７８０６号公報
【発明の概要】
【発明が解決しようとする課題】
【０００６】
しかしながら、上記ひな壇階段等の屋内階段は、床下地との間に床材差込用の隙間を形成するために床下地から少量浮かせた状態に施工している。つまり屋内階段は、床下地に対し非接触状態で施工するため、床下地に対する位置決めが困難であり、階段組付作業が困難になってしまう。さらに従来の屋内階段は、床下地に対し非接触状態で施工するため、床下地からの浮き上がり寸法（嵩上げ量）の調整が困難であった。このため例えば床下地との間の隙間が小さくなってしまい、その隙間に床材を挿入できず、床材施工作業が困難になってしまったり、床下地との間の隙間が大きくなって、美観が低下するという課題が発生する。
【０００７】
一方従来において、屋内階段をその下端を床下地に接触させて組み付ける施工方法も周知である。この場合、階段を施工した後に床材を階段回りに施工する際に、床材における階段下端に対応する部分を階段下端の形状に適合するように切り欠いておき、その切欠部を階段下端に適合させつつ、床材を床下地上に敷設するようにしている。この施工方法では、階段を床下地に接触させているため、階段の位置精度を確保し易く、階段施工を簡単に行うことができる。
【０００８】
しかしながら、この施工方法では、階段施工後に床材を施工するに際して、床材に、階段下端に適合する切欠部を精度良く形成する必要があり、その精密な切欠部を形成するのに、作業者にとって技術的に高い能力や熟練度が必要となり、床材の施工作業を簡単に行うことができないという課題が発生する。
【０００９】
この発明は、上記の課題に鑑みてなされたものであり、階段施工作業および床材施工作業を簡単に行えるとともに、良好な美観を得ることができる階段およびその組付構造を提供することを目的とする。
【課題を解決するための手段】
【００１０】
上記課題を解決するため、本発明は、以下の手段を備えるものである。
【００１１】
［１］斜め上方に向けて延び、かつ互いに平行に配置される両側板に段板が支持されるようにした階段が、その側板の前端部下縁を床下地に対向させた状態に組み付けられる階段の組付構造であって、
前記側板の前端部下縁における前部に、上方に凹むように凹段部が形成されるとともに、その凹段部の後側に下方に突出し、かつ前記床下地に接触する嵩上げ部が形成され、前記凹段部の内周面と前記床下地との間に、前方に開放する床材差込隙間が形成され、
前記床下地上に施工される床材が前記床材差込隙間に挿入配置されていることを特徴とする階段の組付構造。
【００１２】
［２］前記側板は上側縁部が階段状に形成されて、水平な段板取付部と垂直なけこみ板取付部とが交互に配置されたひな壇階段用の側板によって構成されている前項１に記載の階段の組付構造。
【００１３】
［３］最下段のけこみ板の裏面両側縁部が、前記両側板の前端部前縁に沿うように配置される一方、
前記けこみ板の裏面下端縁にけこみ板下部固定桟が固定され、
前記両側板の前端部前縁の下部に、前記けこみ板下部固定桟の両端部を収容するための切欠部が形成されている前項１または２に記載の階段の組付構造。
【００１４】
［４］前記けこみ板下部固定桟における後面と下面とのコーナー部が面取り加工されて下側テーパー面が形成されている前項３に記載の階段の組付構造。
【００１５】
［５］前記けこみ板下部固定桟における後面と上面とのコーナー部が面取り加工されて上側テーパー面が形成されている前項３または４に記載の階段の組付構造。
【００１６】
［６］斜め上方に向けて延び、かつ互いに平行に配置される両側板に段板が支持されるようにした階段であって、
前記側板の前端部下縁における前部に、上方に凹むように凹段部が形成されるとともに、その凹段部の後側に下方に突出し、かつ前記床下地に接触可能な嵩上げ部が形成され、
前記嵩上げ部が床下地に接地された状態では、前記凹段部の内周面と床下地との間に、前方に開放し、かつ床下地上に施工される床材が差し込み可能な床材差込隙間が形成されるように構成されていることを特徴とする階段。
【発明の効果】
【００１７】
発明［１］の階段の組付構造によれば、側板の前端部下縁の前部に凹段部を形成するとともに、その後側に床下地に接地される嵩上げ部を形成して、凹段部内周面と床下地との間に床材差込隙間を形成して、その隙間に床材を差し込むようにしているため、階段の下端部周辺において床材を無理なく自然な状態に治めることができ、良好な美観を確保することができる。また側板の嵩上げ部を床下地に接地しているため、階段の床下地に対する位置合わせや、嵩上げ量の調整も簡単かつ正確に行うことができ、階段を位置精度良く簡単に施工することができる。さらに床材に特別な加工を施す必要がなく、そのまま床材を敷設するだけで簡単に施工することができる。
【００１８】
発明［２］の階段の組付構造によれば、ひな壇階段に適用することができる。
【００１９】
発明［３］の階段の組付構造によれば、側板における前端部前縁の下端部に切欠部を形成して、その切欠部に、最下段のけこみ板の裏面側下部に固定されたけこみ板下部固定桟の両端部を収容するようにしているため、けこみ板下部固定桟が側板に干渉するのを防止しつつ、最下段のけこみ板を確実に取り付けることができる。
【００２０】
発明［４］の階段の組付構造によれば、けこみ板下部固定桟の後面における下側コーナー部を面取りして下側テーパー面を形成しているため、最下段のけこみ板を嵌め込む際に、下側テーパー面が床面に対してガイド面として機能する。従って最下段のけこみ板の固定桟が床面に突っかかる等の不具合を防止でき、最下段のけこみ板を簡単かつ確実に取り付けることができる。
【００２１】
発明［５］の階段の組付構造によれば、けこみ板下部固定桟の後面における上側コーナー部を面取りして上側テーパー面を形成しているため、その上側テーパー面を固着具固定用の固定面として使用することができる。従って固着具を適度な傾斜角度で固定桟に打ち込んで床下地に固定することができ、けこみ板を床下地に安定した状態に固定することができる。
【００２２】
発明［６］の階段によれば、上記と同様に、階段施工作業および床材施工作業を簡単に行えるとともに、良好な美観を得ることができる。
【図面の簡単な説明】
【００２３】
【図１】図１はこの発明の実施形態であるひな壇階段の組付構造において床仕上げ作業を説明するための側面断面図である。
【図２】図２は実施形態のひな壇階段の組付構造において最下段のけこみ板の施工作業を説明するための側面断面図である。
【図３】図３は実施形態に適用されたひな壇階段をその一部を分解した状態で示す斜視図である。
【図４】図４は実施形態のひな壇階段の側板を示す側面図である。
【図５】図５は実施形態のひな壇階段の組付構造における床材差込隙間周辺を拡大して示す断面図である。
【発明を実施するための形態】
【００２４】
図１および図２はこの発明の実施形態であるひな壇階段の組付構造を示す側面断面図、図３は実施形態に適用されたひな壇階段Ｈを示す斜視図、図４は実施形態のひな壇階段用の側板１を示す側面図である。なお本実施形態においては、発明の理解を容易にするため、階段を下りる際に向いている方向（図１および図２の左側）を「前側」とし、階段を上る際に向いている方向（図１および図２の右側）を「後側」として説明する。
【００２５】
図１〜図４に示すようにこの実施形態のひな壇階段の組付構造は、床下地５上にひな壇階段Ｈおよび化粧床６が設けられた構造であり、後述するように床下地５上にひな壇階段Ｈを組み付けた後、床下地５上に化粧床（フロア）６を形成するようにしている。
【００２６】
ひな壇階段Ｈは、左右一対の側板（両側板）１と、両側板１に取り付けられる複数の段板２および複数のけこみ板３とを備えている。
【００２７】
両側板１は、互いに同じ形状に形成されている。すなわち両側板１は、左右方向（階段巾方向）に間隔をおいて互いに平行に、かつ後側に向かって斜め上方に延びるように配置されている。
【００２８】
側板１は、その前端部から後端部にかけての上側縁部が階段状に切り欠かれることによって、水平な切り口と、垂直な切り口とが交互に並んで配置されるように形成されている。このうち、水平な切り口が段板取付用木口１１として構成されるとともに、垂直な切り口がけこみ板取付用木口１２として構成されている。さらに側板１の前端部の前縁（前面）は、垂直な切り口であるけこみ板取付用木口１２として構成されている。
【００２９】
なお本実施形態においては、段板取付用木口１１が段板取付部として構成されるとともに、けこみ板取付用木口１２がけこみ板取付部として構成されている。
【００３０】
図５に示すように側板１における前端部の下縁には、その前側半分が切り欠かれることにより、上方に凹むように切欠凹段部１３が形成されている。さらに側板１の前端部下縁における後側半分には、下方に突出するように嵩上げ部（スペーサ部）１４が形成されている。嵩上げ部１４の下面は水平面に形成されており、その下面が床下地５上に接地（接触）できるように構成されている。
【００３１】
なお本実施形態において、切欠凹段部１３は凹段部を構成するものであり、その構成の詳細については後に説明する。
【００３２】
側板１における前端部前縁の下端部、つまり最下段のけこみ板取付用木口１２の下端部には、切欠部１５が形成されている。
【００３３】
また図１〜図３に示すように、両側板１の内側面における段板取付用木口１１に対応する位置には、段板受け桟２１がそれぞれ固定されている。
【００３４】
本実施形態において、側板１としては、厚さ２０ｍｍ〜３０ｍｍの木質製のものが使用されており、例えば合板、単板積層材、集成材、中質繊維板等の木質系材が単独または２種以上組み合わされたものを好適に使用することができる。
【００３５】
さらに側板１における踏み面の長さ（段板取付木口１１の前後方向長さ）は、１８０ｍｍ〜２７０ｍｍ程度に調整されており、蹴上げ寸法（けこみ板取付木口１２の上下方向長さ）は、１７０ｍｍ〜２００ｍｍに調整されている。
【００３６】
なお図４に示すように本実施形態において、側板１は、段板取付用木口１１が４つ形成されたもの、つまり段板２が４枚取り付けられる４段用の側板によって構成されているが、後述するように本発明においては、側板１における段板２の取付数は限定されるものではない。
【００３７】
図１〜図３に示すように段板２は、その裏面（下面）における前端部に、段板長さ方向（階段巾方向）に連続して延び、かつ裏面側（下方）に開口するけこみ板取付溝２２が形成されている。
【００３８】
本実施形態において、段板２としては、例えば合板、単板積層材、集成材、中質繊維板、硬質繊維板、パーティクルボード等の木質材を、単独または２種以上組み合わせたものを好適に使用することができる。
【００３９】
また段板２の下面におけるけこみ板取付溝２２の後方には、けこみ板上部固定桟２３が段板長さ方向に沿って取り付けられている。このけこみ板上部固定桟２３は、長さ方向の寸法が、両側板１間に配置し得る寸法に形成されており、段板２を側板１に固定した際に、けこみ板上部固定桟２３の両端部が両側板１に干渉しないようになっている。
【００４０】
以上のように構成された段板２が、両側板１間に架け渡されるようにして、対応する各段板取付用木口１１にそれぞれ配置され、その状態で各段板２の所要部が、釘、スクリュー釘、木ねじ、ビス等のねじ釘類（固着具）によって側板１にそれぞれ固定される。なお段板２を側板１に固定する際には接着剤を併用しても良い。
【００４１】
けこみ板３は、例えば合板、中質繊維板、硬質繊維板等の木質材を、単独または２以上組み合わせたものによって構成されている。
【００４２】
けこみ板３のうち、最下段に配置されるけこみ板３ａは、その裏面側（後面側）の下端縁に沿って、けこみ板下部固定桟３２が取り付けられている。このけこみ板下部固定桟３２は、長さ方向の寸法が、けこみ板３の長さ方向の寸法と一致しており、けこみ板下部固定桟３２の両側端面がけこみ板３の両側端面と面一となるように配置されている。
【００４３】
またけこみ板下部固定桟３２は、断面略正方形状に形成されており、この固定桟３２における後面と下面とのコーナー部が面取り加工されて下側テーパー面３３が形成されている。さらにけこみ板下部固定桟３２における後面と上面とのコーナー部が面取り加工されて上側テーパー面３４が形成されている。
【００４４】
以上のように構成されたけこみ板３における両側端部が、両側板１の対応し合う各けこみ板取付用木口１２に沿うようにそれぞれ配置され、さらに上端部が上側に隣接する段板２のけこみ板取付溝２２に差し込まれるとともに、下端部が下側に隣接する段板２の後端面に沿うように配置され、その状態で各けこみ板３の所要部が、ねじ釘類（固着具）によって側板１や段板２等にそれぞれ固定される。なおけこみ板３を側板１や段板２に固定する際には接着剤を併用しても良い。
【００４５】
本実施形態においては、ひな壇階段Ｈの組立手順は特に限定されるものではなく、どのような手順で組み立てても良いが、例えば両側板１に、上側から順に段板２およびけこみ板３を交互に取り付けるような手順で組み立てることができる。
【００４６】
以上の構成のひな壇階段Ｈは、工場等で予め組み立てておき、その組み立てたひな壇階段Ｈを建築現場に搬入して施工するものであるが、ひな壇階段Ｈにおける最下段のけこみ板３ａは、建築現場で施工するのが通例である。
【００４７】
建築現場に搬入されたひな壇階段Ｈは以下のように組み付けられる。なお建築現場においては、ひな壇階段Ｈが固定される家屋構造体の他に、床下地５が既に施工されているものとする。
【００４８】
まず、ひな壇階段Ｈにおける両側板１の下端部下面における嵩上げ部１４を、床下地５の所定位置に接地させつつ、両側板１を家屋構造体に固定することによって、家屋構造体に支持する。
【００４９】
ここで本実施形態においては、ひな壇階段Ｈをその嵩上げ部１４を床下地５に接触させた状態で家屋構造体に固定するようにしているため、ひな壇階段Ｈの床下地５に対する位置合わせを正確に行うことができ、位置精度良くひな壇階段Ｈを組み付けることができる。
【００５０】
ひな壇階段Ｈを施工した後は、床下地５上に多数の床材６１を敷設施工して床仕上げを行って化粧床（フロア）６を形成する。
【００５１】
ここで本実施形態において、ひな壇階段Ｈの側板下端に設けられる嵩上げ部１４は、下方に突出し、かつ床下地５に接地されているため、嵩上げ部１４の前側に形成された切欠凹段部１３の内周面と床下地５との間に、前方に開放する床材差込隙間１０が形成されている。このため床材６１を施工する際に、ひな壇階段Ｈにおける側板１の下端部周辺においては、床材６１をその一部を上記床材差込隙間１０に差し込んだ状態に床下地５に固定する。これによりひな壇階段Ｈの側板１周辺において床材６１の治まり具合が良くなり、良好な美観を確保することができる。
【００５２】
さらに本実施形態においては、嵩上げ部１４を床下地５に接触させるものであるため、その接触によって簡単かつ精度良く、切欠凹段部１３の部分に床材差込隙間１０を形成することができる。つまり従来のように側板下端を床下地に対し接触させない場合には、階段の嵩上げ量の調整が困難である。これに対し本実施形態においては、嵩上げ部１４を床下地５に接触させるだけで、階段Ｈの嵩上げ量を正確に確保することができ、嵩上げ量の設定を簡単かつ精度良く行うことができる。
【００５３】
ここで本実施形態においては図５に示すように、床材差込隙間１０の間隔Ａ１、つまり切欠凹段部１３の高さＡ１は、化粧床６（床材６１）の厚みよりも０．５ｍｍ〜１ｍｍ大きめに形成するのが好ましい。例えば１２ｍｍ厚の化粧床６の場合は、床材差込隙間１０の間隔Ａ１を１２．５ｍｍ〜１３ｍｍに設定するのが好ましい。すなわち床材差込隙間１０の間隔Ａ１が小さ過ぎる場合には、床材差込隙間１０に床材６１をスムーズに差し込むことが困難になり、施工作業性の低下を来すおそれがあり好ましくない。逆に床材差込隙間１０の間隔Ａ１が大き過ぎる場合には、床材差込隙間１０に差し込んだ床材６１と切欠凹段部１３の内周面との間に不用意な隙間が形成されて、美観の低下を来すおそれがあり、好ましくない。
【００５４】
さらに本実施形態においては、床材差込隙間１０の奥行き（前後長さ）Ａ２、つまり切欠凹段部１３の切欠長さＡ２は、５０ｍｍ〜１００ｍｍに設定するのが好ましい。すなわち床材差込隙間１０の奥行きＡ２が長過ぎる場合には、相対的に嵩上げ部１４の前後長さが短くなり、嵩上げ部１４に十分な強度を得ることが困難となり、好ましくない。逆に床材差込隙間１０の奥行きＡ２が短過ぎる場合には、床材６１の差込量が少なくなり、床材６１を収まり良く敷設することができず、好ましくない。
【００５５】
床材６１を施工した後は、ひな壇階段Ｈの下端部に最下段のけこみ板３ａを取り付ける。すなわち図２の想像線に示すように、最下段のけこみ板３ａの上端部を最下段の段板２のけこみ板取付溝２２に差し込み、その差込部を支点にしながら最下段のけこみ板３ａの下側を後方に押し込むことにより、最下段のけこみ板３ａにおける裏面側の両側端部を両側板１における最下段の両けこみ板取付用木口１２に沿わせるように配置する。そしてその状態で、ひな壇階段Ｈの裏面側（後面側）において、固着具としてのスクリュー釘３５を最下段のけこみ板３ａにおける下部固定桟３２の上側テーパー面３４に打ち込んで、下部固定桟３２を貫通させて化粧床６および床下地５に固定する。これにより最下段のけこみ板３ａを固定する。
【００５６】
ここで本実施形態においては、ひな壇階段Ｈの両側板１における最下段のけこみ板取付用木口１２の下端部に、最下段のけこみ板３ａの下部固定桟３２に対応させて、切欠部１５を形成しているため、最下段のけこみ板３ａを両側板１に嵌め込んだ際に、けこみ板下部固定桟３２が両側板１の切欠部１５内に収容される。このためけこみ板下部固定桟３２が両側板１に干渉することがなく、最下段のけこみ板３ａをスムーズかつ確実に取り付けることができる。
【００５７】
その上さらに、本実施形態においては、両側板１に切欠部１５を形成しているため、最下段のけこみ板３ａとして用いられる固定桟３２付きのけこみ板３ａを簡単に製作することができる。
【００５８】
すなわち仮に、両側板１に切欠部１５が形成されていない場合には、最下段のけこみ板に取り付けられる固定桟の両端部が、両側板１と干渉するのを防止するために、固定桟の両端部を切除するという余分な切除作業を必要とする。
【００５９】
これに対し、本実施形態においては、既述した通り、固定桟３２の両端部をけこみ板３ａの両端部に一致させておいても、固定桟３２が両側板１と干渉するのを防止できるため、固定桟３２の両端部を切除するという余分な作業を必要とせず、その分、固定桟３２付きのけこみ板３ａの製作を簡単に行うことができる。
【００６０】
ここで、本実施形態においては、切欠部１５の高さＢ１および奥行きＢ２は、けこみ板下部固定桟３２の高さおよび奥行き（巾）に対し、１ｍｍ〜３ｍｍ大きめに形成するのが好ましい。切欠部１５をこのような大きさに形成することによって、切欠部１５を必要以上に大きくせずに、その切欠部１５内に確実にけこみ板下部固定桟３２を収容することができる。なお切欠部１５の高さＢ１および奥行きＢ２は、通常２０ｍｍ〜３０ｍｍ程度となる。
【００６１】
また本実施形態においては、最下段のけこみ板３ａの裏面下端部に取り付けた下部固定桟３２の下側コーナー部に、そのコーナー部を面取りして下側テーパー面３３を形成しているため、最下段のけこみ板３ａを簡単かつ確実に取り付けることができる。
【００６２】
すなわち、最下段のけこみ板３ａを取り付ける際には、そのけこみ板３ａの上端部を段板２のけこみ板取付溝２２に差し込んで、けこみ板３ａの下端部を化粧床６の上面（床面）に沿って後方にスライドさせるように回転させるが、その際仮に、下部固定桟３２の下側コーナー部にテーパー面３３が形成されていない場合、下側コーナー部が床面に突っかかってしまい、けこみ板３ａをスムーズに所定位置まで押し込むことが困難になるおそれがある。
【００６３】
そこで本実施形態においては、けこみ板下部固定桟３２の下側コーナー部にテーパー面３３を形成しているため、そのテーパー面３３が、けこみ板３ａを取り付ける際に床面に対するガイド面として機能する。つまりけこみ板３ａを取り付ける際に、テーパー面３３が床面に沿ってスムーズに移動するため、けこみ板３ａを所定位置まで無理なく押し込むことができ、けこみ板３ａを簡単かつ確実に取り付けることができる。
【００６４】
その上さらに本実施形態においては、最下段のけこみ板３ａの裏面下端部に取り付けた下部固定桟３２の上側コーナー部に、そのコーナー部を面取りして上側テーパー面３４を形成しているため、そのテーパー面３４をスクリュー釘３５を打ち込む際の固着具固定面として構成することによって、スクリュー釘３５を簡単かつ確実に打ち込むことができる。
【００６５】
すなわちスクリュー釘３５をけこみ板下部固定桟３２に打ち込む場合、スクリュー釘３５を斜め下向きに打ち込むことになるが、その際仮に、下部固定桟３２に上側テーパー面３４が形成されていない場合、スクリュー釘３５を下部固定桟３２の上面や後面に、その面に対して斜め向きに打ち込む必要がある。その場合、スクリュー釘３５の打込角度を安定させることができず、スクリュー釘３５を、所望の傾斜角度から逸脱して、例えば垂直に近い打込角度で打ち込んでしまったり、または水平に近い打込角度で打ち込んでしまい、下部固定桟３２を安定した状態で床下地６に固定することが困難になってしまう。
【００６６】
そこで本実施形態においては、下部固定桟３２の上側コーナー部にテーパー面３４を形成しているため、そのテーパー面３４をスクリュー釘３５の打込方向に対向するように配置することができる。このため、スクリュー釘３５を上側テーパー面３４に対しほぼ直交する方向に打ち込めば、スクリュー釘３５を所望の傾斜角度で打ち込むことができるため、下部固定桟３２、つまりけこみ板３ａを床下地６に安定した状態で簡単かつ確実に固定することができる。
【００６７】
また本実施形態においては、側板１として段板２が４枚取り付けられる４段型の側板１を用いているが、その４段型の側板１に加えて、１段型、２段型、３段型の計４種の側板を使用するのが好ましい。すなわちこの４種の側板を適宜組み合わせて使用することによって、あらゆる長さの直階段用の側板を形成することができ、汎用性を著しく向上させることができる。例えば戸建て住宅等において、階下から階上まで、１３段位の階段が必要となるが、上記４種の側板を適宜組み合わせて、１３段の側板を形成することができる。
【００６８】
もっとも本発明においては、５段以上の側板、例えば１３段の側板を一枚板（１本もの）によって形成するようにしても良い。
【００６９】
なお上記実施形態においては、階段がひな壇階段Ｈによって構成される場合を例に挙げて説明したが、それだけに限られず、本発明は、化粧階段等の他の階段にも適用することができる。
【００７０】
また上記実施形態においては、側板２における前端部下縁の前部を切り欠いて凹段部を形成するとともに、その凹段部の後側に嵩上げ部を残存形成するようにしているが、それだけに限られず、本発明においては、側板２を切り欠かずに凹段部を残存形成することも可能である。例えば側板における前端部下縁の後部に嵩上げ部材を後付けで別途取り付けて、その嵩上げ部材を嵩上げ部として構成するとともに、その嵩上げ部よりも前側を、凹段部として構成するようにしても良い。
【００７１】
また上記実施形態においては、最下段のけこみ板３ａの固定桟３２を固定するための固着具としてスクリュー釘３５を用いているが、それだけに限られず、本発明においては、他の固着具、例えば釘、木ねじ、ビス等を用いるようにしても良い。
【００７２】
また本発明は、直階段に限られず、直階段以外の階段、例えば回り階段、かね折れ階段等にも適用することができる。
【産業上の利用可能性】
【００７３】
この発明の階段は、例えば一般住宅等の屋内に組み付けられる木質製階段等に適用することができる。
【符号の説明】
【００７４】
１：側板
１０：床材差込凹部
１１：段板取付用木口（段板取付部）
１２：けこみ板取付用木口（けこみ板取付部）
１３：切欠凹段部（凹段部）
１４：嵩上げ部
１５：切欠部
２：段板
３：けこみ板
３ａ：最下段のけこみ板
３２：けこみ板下部固定桟
３３：下側テーパー面
３４：上側テーパー面
３５：スクリュー釘（固着具）
５：床下地
６１：床材
Ｈ：ひな壇階段
【図１】
0006417147.tif 000002
【図２】
0006417147.tif 000003
【図３】
0006417147.tif 000004
【図４】
0006417147.tif 000005
【図５】
0006417147.tif 000006